(57)【要約】【課題】リワーク性のよい蓋体を有する携帯電子機器を提供する。【解決手段】携帯電話機１は、開口部１３ｃ（開口部３ｃ）が形成されたインナーケース１３（筐体本体３ａ）と、インナーケース１３に着脱され、インナーケース１３に装着されたときに開口部１３ｃを閉塞する蓋体１７とを有する。インナーケース１３には、開口部１３ｃを囲む溝部１３ｆが形成されている。蓋体１７は、溝部１３ｆに圧入可能なパッキン部４９と、パッキン部４９に一部が埋設され、パッキン部４９が溝部１３ｆに圧入されたときに開口部１３ｃに対向する基部４７とを有するインナー部４１を有する。さらに、蓋体１７は、インナー部４１の外側面に貼り付けられる第１両面テープ４３Ａと、両面テープ４３の外側面に貼り付けられるアウター部４５とを有する。そして、第１両面テープ４３Ａは、第１孔部４３ｃが形成されて枠状に形成されている。【選択図】図６
2010258808.tif 000002
【特許請求の範囲】
【請求項１】
第１開口部が形成された筐体部材と、
前記筐体部材に着脱され、前記筐体部材に装着されたときに前記第１開口部を閉塞する蓋体と、
を有し、
前記筐体部材には、前記第１開口部を囲む溝部が形成され、
前記蓋体は、
前記溝部に圧入可能なパッキン部と、前記パッキン部に一部が埋設され、前記パッキン部が前記溝部に圧入されたときに前記第１開口部に対向する基部とを有するインナー部と、
前記インナー部の外側面に貼り付けられる両面テープと、
前記両面テープの外側面に貼り付けられるアウター部と、
を有し、
前記両面テープは、第１孔部が形成されて枠状に形成されている
携帯電子機器。
【請求項２】
前記基部は、前記第１孔部に連通する第２孔部が形成されて枠状に形成されている
請求項１に記載の携帯電子機器。
【請求項３】
前記第１開口部は、前記筐体部材に着脱されるバッテリを収容する凹部の開口部であり、
前記第１孔部及び前記第２孔部は、前記蓋体が前記筐体部材に装着されたときに、前記筐体部材に装着された前記バッテリに対向する
請求項２に記載の携帯電子機器。
【請求項４】
前記アウター部は、前記インナー部よりも外周側において前記蓋体の内側面の向く方向へ突出し、前記蓋体の内側面に沿う方向において前記筐体部材を挟み込む挟持部を有する
請求項１〜３のいずれか１項に記載の携帯電子機器。
【請求項５】
前記筐体部材を内包する外装筐体を更に有し、
前記外装筐体には、前記第１開口部及び前記溝部を露出させる第２開口部が形成されており、
前記蓋体が前記筐体部材に装着されたときに、前記アウター部は前記第２開口部内に配置され、前記挟持部は前記外装筐体に覆われる
請求項４に記載の携帯電子機器。
【発明の詳細な説明】
【技術分野】
【０００１】
本発明は、携帯電話機、ＰＤＡ、ゲーム機等の携帯電子機器に関する。
【背景技術】
【０００２】
バッテリを収容する凹部を塞ぐ蓋体など、筐体部材の開口を塞ぐために筐体部材に着脱される蓋体を有する電子機器が知られている（例えば特許文献１）。また、携帯電子機器の筐体部材内部への水分の侵入を抑制するためにパッキンを用いる技術が知られている（例えば特許文献２）。
【０００３】
開口部と、開口部を囲む溝部とを有する筐体部材に対して、開口部を閉塞する樹脂部と、当該樹脂部の外周に沿って延びるパッキン部とを有する蓋体を取り付ける技術が知られている。この技術では、パッキン部が溝部に圧入されることにより、蓋体が筐体部材に取り付けられるとともに、開口部からの水分の侵入が抑制される。
【０００４】
樹脂部の一部をパッキン部に埋設させて蓋体を構成する場合、樹脂部の塗装がパッキン部に付着すると、パッキン部の防水性が低下する。そこで、樹脂部を、パッキン部に一部が埋設される基部と、パッキン部及び基部からなるインナー部の外側面に接着されるアウター部とに分け、アウター部のみを塗装することが行われている。
【先行技術文献】
【特許文献】
【０００５】
【特許文献１】特開２００１−２４４００４号公報
【特許文献２】特開平６−２１３３２６号公報
【発明の概要】
【発明が解決しようとする課題】
【０００６】
上記の蓋体は、インナー部とアウター部とに分離可能であるから、製造工程又は電子機器の使用において一方が破損したとしても、他方は再利用（リワーク）が可能である。しかし、上記の蓋体は、リワークを考慮した構成とはなっていなかった。
【０００７】
本発明の目的は、リワーク性のよい蓋体を有する携帯電子機器を提供することにある。
【課題を解決するための手段】
【０００８】
本発明の携帯電子機器は、第１開口部が形成された筐体部材と、前記筐体部材に着脱され、前記筐体部材に装着されたときに前記第１開口部を閉塞する蓋体と、を有し、前記筐体部材には、前記第１開口部を囲む溝部が形成され、前記蓋体は、前記溝部に圧入可能なパッキン部と、前記パッキン部に一部が埋設され、前記パッキン部が前記溝部に圧入されたときに前記第１開口部に対向する基部とを有するインナー部と、前記インナー部の外側面に貼り付けられる両面テープと、前記両面テープの外側面に貼り付けられるアウター部と、を有し、前記両面テープは、第１孔部が形成されて枠状に形成されている。
【０００９】
好適には、前記基部は、前記第１孔部に連通する第２孔部が形成されて枠状に形成されている。
【００１０】
好適には、前記第１開口部は、前記筐体部材に着脱されるバッテリを収容する凹部の開口部であり、前記第１孔部及び前記第２孔部は、前記蓋体が前記筐体部材に装着されたときに、前記筐体部材に装着された前記バッテリに対向する。
【００１１】
好適には、前記アウター部は、前記インナー部よりも外周側において前記蓋体の内側面の向く方向へ突出し、前記蓋体の内側面に沿う方向において前記筐体部材を挟み込む挟持部を有する。
【００１２】
好適には、前記携帯電子機器は、前記筐体部材を内包する外装筐体を更に有し、前記外装筐体には、前記第１開口部及び前記溝部を露出させる第２開口部が形成されており、前記蓋体が前記筐体部材に装着されたときに、前記アウター部は前記第２開口部内に配置され、前記挟持部は前記外装筐体に覆われる。
【発明の効果】
【００１３】
本発明によれば、リワーク性のよい蓋体を有する携帯電子機器を提供できる。
【図面の簡単な説明】
【００１４】
【図１】本発明の実施形態に係る携帯電話機を開状態で示す外観斜視図。
【図２】蓋体を取り外した状態の図１の携帯電話機を示す斜視図。
【図３】図１の携帯電話機の第１筐体を正面側から見た分解斜視図。
【図４】図３の第１筐体を背面側から見た分解斜視図。
【図５】図１のＶ−Ｖ線における断面図。
【図６】図２の蓋体の分解斜視図。
【図７】図５の紙面左側部分の拡大図。
【発明を実施するための形態】
【００１５】
図１は、本発明の実施形態に係る携帯電話機１の外観を開状態で示す斜視図である。携帯電話機１は、いわゆる折り畳み式の携帯電話機として構成されており、開状態と閉状態との間で互いに回動可能に連結された第１筐体３及び第２筐体５を備えている。
【００１６】
第１筐体３及び第２筐体５は、それぞれの端部が、回動の中心となる連結部６により連結されることにより携帯電話機１全体の筐体を構成するようになっている。第１筐体３及び第２筐体５は、それぞれ概ね薄型直方体状に形成されており、閉状態では互いに重ねあわされて互いの輪郭が略一致する。
【００１７】
第１筐体３には、例えば、不図示の通話用のマイクロフォン、不図示のアンテナ、不図示の報知用のスピーカ、ユーザの操作を受け付ける操作部７が設けられている。操作部７は、複数のキー３５を含んで構成されている。第２筐体５には、例えば、不図示の通話用のスピーカ、画像や文字を表示する表示部９が設けられている。
【００１８】
なお、以下では、第１筐体３の操作部７が露出する側及びその背面側を、正面側及び背面側ということがある。
【００１９】
図２は、蓋体１７を取り外した状態の携帯電話機１を示す斜視図である。蓋体１７は、バッテリ２７を着脱可能とするためのものである。
【００２０】
バッテリ２７は、例えば、リチウムイオン電池により構成された二次電池である。バッテリ２７は、特に図示しないが、例えば、バッテリセルと、バッテリセルに積層された回路基板と、バッテリセル及び回路基板を覆う樹脂部とを有している。
【００２１】
バッテリセルは、例えば、リチウムを含む正極と炭素を含む負極とをセパレータを挟んで積層したものが、金属ケース内に挿入されて構成されている。回路基板は、コネクタや保護回路等を有し、前記バッテリセルの正極端子及び負極端子とそれぞれ接続されている。樹脂部は、バッテリ及び回路基板が埋設されるモールド部であってもよいし、バッテリ及び回路基板を収納するケースであってもよい。
【００２２】
バッテリ２７（樹脂部）の外形は、例えば、概ね直方体状に形成されている。具体的には、バッテリ２７は、第１筐体３の正面及び背面の方向において薄い直方体状に形成され、第１筐体３の内部側に向く内側面２７ｂ（図５参照）と、第１筐体３の外部側に向く外側面２７ａとを有している。
【００２３】
第１筐体３の筐体本体３ａ（第１筐体３の蓋体１７以外の部分）の背面には、バッテリ２７を収容可能な凹部３ｂが形成されている。凹部３ｂは、概ねバッテリ２７が嵌合する形状（本実施形態では薄型直方体状）及び大きさに形成されている。凹部３ｂの連結部６側の内壁には、不図示の端子が設けられている。当該端子は、バッテリ２７が凹部３ｂに収容されたときにバッテリ２７の不図示の端子に接続される。
【００２４】
蓋体１７は、凹部３ｂを塞ぐように筐体本体３ａに着脱される。蓋体１７は、例えば、概ね板状に形成され、その平面形状は、例えば、凹部３ｂの開口部３ｃと概ね同様の形状（本実施形態では矩形）及び大きさである。蓋体１７は、開口部３ｃ内に配置されて、凹部３ｂを塞ぐ。
【００２５】
図３は、第１筐体３を正面側から見た分解斜視図である。また、図４は、第１筐体３を背面側から見た分解斜視図である。ただし、図３と図４とでは、分解されたパーツが異なっている。
【００２６】
携帯電話機１は、筐体本体３ａの正面側部分を構成するフロントケース１１と、筐体本体３ａの内部側部分を構成するインナーケース１３と、筐体本体３ａの背面側部分を構成するリアケース１５とを有している。
【００２７】
また、携帯電話機１は、第１筐体３内部において、フロントケース１１側から順に積層的に配置された、メイン基板アセンブリ２２、カメラユニット２４（図４）、サブ基板アセンブリ２５を有している。
【００２８】
インナーケース１３は、概ね、フロントケース１１側が開放された箱体状に形成されており、背面部１３ｖと、背面部１３ｖの周縁においてフロントケース１１側に立設された壁部１３ｗとを有している。背面部１３ｖには、バッテリ２７を出し入れするための開口部１３ｃが形成されている。
【００２９】
フロントケース１１は、概ね、インナーケース１３側が開放された、インナーケース１３よりも薄い箱体状に形成されている。フロントケース１１は、インナーケース１３に対して正面側から被せられ、インナーケース１３の正面側を覆うとともに、壁部１３ｗの正面側部分を囲む。
【００３０】
リアケース１５は、概ね、インナーケース１３側が開放された、インナーケース１３よりも薄い箱体状に形成されている。リアケース１５は、インナーケース１３に対して背面側から被せられ、インナーケース１３の背面側を覆うとともに、壁部１３ｗの背面側部分を囲む。リアケース１５の背面側には、バッテリ２７を出し入れするための開口部１５ｃが形成されている。
【００３１】
フロントケース１１、インナーケース１３及びリアケース１５は、例えば、主として非導電性の樹脂によりそれぞれ成形されている。フロントケース１１、インナーケース１３及びリアケース１５は、例えば、ネジ若しくは係合部又はその双方により互いに固定される。
【００３２】
メイン基板アセンブリ２２、カメラユニット２４及びサブ基板アセンブリ２５は、フロントケース１１及びインナーケース１３によって、これらの部材の積層方向において挟持される。具体的には、これらの部材は、第１筐体３の長手方向の両側において、フロントケース１１とインナーケース１３の背面部１３ｖとにより挟持される。
【００３３】
メイン基板アセンブリ２２は、図３に示すように、リアケース１５側から順に積層された、メイン基板２３と、シールドケース２１と、フレキシブルプリント配線板（ＦＰＣ）３３（図５参照）と、キーシート１９とを有している。
【００３４】
メイン基板２３は、例えば、硬質の樹脂をベースとしたリジッド式の回路基板により構成されている。メイン基板２３は、フロントケース１１側の第１実装面２３ａ（図２）と、その背面側の第２実装面２３ｂとを有している。第１実装面２３ａ及び第２実装面２３ｂには、複数の電子部品２９が設けられている。
【００３５】
シールドケース２１は、例えば金属により形成されている。又は、シールドケース２１は、樹脂等の非導電性の基体の表面に金属層等の導電層が設けられて構成されている。シールドケース２１は、メイン基板２３の基準電位に接続され、メイン基板２３に設けられた高周波回路等をシールドする。
【００３６】
シールドケース２１のフロントケース１１側には、ＦＰＣ３３（図５参照）が配置される。ＦＰＣ３３には、不図示の複数の押圧式スイッチが複数のキー３５に対応する位置に実装される。
【００３７】
キーシート１９は、例えば、ゴム等の遮水性を有する（水を透さない）非導電性の弾性部材により構成され、複数のキー３５に対応する上述の不図示の押圧スイッチを覆うように配置される。複数のキー３５に対する押圧力は、キーシート１９を介して複数のスイッチに伝達される。
【００３８】
サブ基板アセンブリ２５は、図４に示すように、リアケース１５側から順に積層された、サブ基板２６と、フレーム２８とを有している。
【００３９】
サブ基板２６は、例えば、硬質の樹脂をベースとしたリジッド式の回路基板により構成されている。サブ基板２６の実装面には、複数の電子部品２９が設けられている。フレーム２８は、例えば樹脂により構成されている。フレーム２８は、サブ基板２６及びカメラユニット２４をメイン基板アセンブリ２２に固定する。
【００４０】
図５は、図１のＶ−Ｖ線における第１筐体３の断面図である。なお、図５の紙面上方側が携帯電話機１の背面側（図１の紙面奥手側）である。
【００４１】
インナーケース１３は、フロントケース１１及びリアケース１５によって包まれている。すなわち、フロントケース１１及びリアケース１５は、インナーケース１３を包む外装筐体１０を構成している。
【００４２】
インナーケース１３の内部は、キーシート１９及び蓋体１７により密閉されている。そして、その密閉空間には、ＦＰＣ３３、シールドケース２１、メイン基板２３、サブ基板アセンブリ２５及びバッテリ２７が収容されている。
【００４３】
キーシート１９によるインナーケース１３の密閉は、以下のように行われる。キーシート１９は、例えば、ゴム等の遮水性を有する（水を透さない）非導電性の弾性部材により構成されている。壁部１３ｗのフロントケース１１側の頂部には、壁部１３ｗによって形成されるフロントケース１１側の開口１３ｈを囲む溝部１３ｅが形成されている。一方、キーシート１９は、外周縁に亘って延びるパッキン部１９ｅ（図７も参照。なお、図では、変形前の状態が示されている。）を有している。パッキン部１９ｅが溝部１３ｅに圧入されることにより、キーシート１９がインナーケース１３に取り付けられるとともに、インナーケース１３が密閉される。
【００４４】
蓋体１７によるインナーケース１３の密閉については後述する。
【００４５】
バッテリ２７を収容する凹部３ｂは、インナーケース１３及びメイン基板２３により構成されている。すなわち、凹部３ｂの内周面は、インナーケース１３の壁部１３ｗの内周面により構成され、凹部３ｂの底面は、メイン基板２３の第２実装面２３ｂにより構成されている。
【００４６】
リアケース１５の開口部１５ｃは、インナーケース１３の開口部１３ｃよりも大きく、開口部１３ｃを外装筐体１０の外部へ露出させている。バッテリ２７は、開口部１５ｃ及び開口部１３ｃを介して凹部３ｂに着脱される。なお、開口部１３ｃ及び開口部１５ｃにより、凹部３ｂの開口部３ｃが構成されている。
【００４７】
図６は、蓋体１７の分解斜視図である。なお、図６の紙面上方側がバッテリ２７側である。
【００４８】
蓋体１７は、バッテリ２７側（第１筐体３の内部側）から順に、インナー部４１、第１両面テープ４３Ａ及び第２両面テープ４３Ｂ（以下、単に「両面テープ４３」といい、両者を区別しないことがある。）、及び、アウター部４５を有している。このように、蓋体１７は、インナー部４１及びアウター部４５が両面テープ４３により接着されることにより構成されている。
【００４９】
インナー部４１は、基部４７と、基部４７の外周縁に設けられたパッキン部４９とを有している。
【００５０】
基部４７は、例えば、硬質の樹脂により形成されている。基部４７の概略形状は板状である。より詳細には、基部４７は、バッテリ２７に対向する板状部４７ａと、板状部４７ａの外周縁において筐体内部側に突出する壁部４７ｂ（図５及び図７も参照）とを有しており、一方が開放された薄型の箱状に形成されている。
【００５１】
板状部４７ａは、第２孔部４７ｃが形成されることにより、枠状に形成されている。板状部４７ａの外周縁及び第２孔部４７ｃの形状は、例えば、矩形である。板状部４７ａの外周縁は、インナーケース１３の開口部１３ｃよりも大きく、外装筐体１０の開口部１５ｃよりも小さい。板状部４７ａの厚さは、例えば、０．４〜０．５ｍｍである。
【００５２】
壁部４７ｂは、板状部４７ａの外周縁の全周に亘って設けられている。壁部４７ｂの板状部４７ａからの高さは、例えば、概ね一定に設定されている。なお、壁部４７ｂは、板状部４７ａの平面視においてインナーケース１３の開口部１３ｃよりも広いループを形成するのであれば、板状部４７ａの外周縁に限らず、板状部４７ａの外周縁よりも内側に設けられてもよい。
【００５３】
パッキン部４９は、例えば、ゴムにより形成されている。パッキン部４９には、壁部４７ｂが埋設されている。これにより、基部４７及びパッキン部４９は一体的に形成されている。このようなインナー部４１は、例えば、金型内に基部４７を配置し、その金型内にパッキン部４９となる材料を射出するインサート成形により形成される。
【００５４】
両面テープ４３は、例えば、可撓性のシートの両面に接着剤が塗布されることにより構成されている。可撓性のシートは、例えば、樹脂やゴムにより形成される。なお、可撓性のシートは、蓋体１７の密閉性向上のために、ゴム等の弾性部材により形成されていることが好ましい。
【００５５】
第１両面テープ４３Ａ及び第２両面テープ４３Ｂは、インナー部４１及びアウター部４５の形状に合わせて２つに分離されたものである。具体的には、第１筐体３は、連結部６側の部分が、バッテリ２７の配置部分よりも若干厚くなるように形成されている（図２参照）。これに対応して、インナー部４１及びアウター部４５は、バッテリ２７に対向する部分（大部分）は一平面であるが、連結部６側（図６の紙面右上側）の一部が大部分に対して傾斜している。当該形状に合わせて、両面テープは、インナー部４１及びアウター部４５の大部分を接着する第１両面テープ４３Ａと、連結部６側の一部を接着する第２両面テープ４３Ｂに分離されている。ただし、第１両面テープ４３Ａ及び第２両面テープ４３Ｂは、１枚の両面テープにより構成されてもよい。
【００５６】
第１両面テープ４３Ａ及び第２両面テープ４３Ｂの全体の外周縁の形状及び大きさは、例えば、板状部４７ａの形状（本実施形態では矩形）及び大きさと概ね同様である。両面テープ４３の厚さは、例えば、０．１〜０．２ｍｍである。第１両面テープ４３Ａの外周縁の形状及び大きさは、例えば、バッテリ２７の形状（本実施形態では矩形）及び大きさと概ね同様である。第１両面テープ４３Ａは、第１孔部４３ｃが形成されることにより、枠状に形成されている。第１孔部４３ｃの形状及び大きさは、例えば、第２孔部４７ｃの形状（本実施形態では矩形）及び大きさと概ね同様である。
【００５７】
アウター部４５は、例えば、硬質の樹脂により形成されている。アウター部４５の概略形状は板状である。より詳細には、アウター部４５は、バッテリ２７に対向する板状部４５ａと、板状部４５ａの外周縁において筐体内部側に突出する挟持部４５ｂと、板状部４５ａの外周縁において板状部４５ａの外方へ突出する被係合部４５ｃとを有している。
【００５８】
板状部４５ａの外周縁の形状及び大きさは、外装筐体１０の開口部１５ｃに概ね嵌合する形状（本実施形態では矩形）及び大きさである。なお、板状部４５ａは、板状部４７ａよりも若干大きい。板状部４５ａの厚さは、例えば、板状部４７ａの厚さよりも大きい。また、板状部４５ａが厚いことなどにより、アウター部４５の曲げ剛性は、インナー部４１の曲げ剛性よりも高い。
【００５９】
挟持部４５ｂは、後述するように、蓋体１７をインナーケース１３に係合させるためのものである。挟持部４５ｂは、例えば、少なくとも板状部４５ａの対向する２辺において設けられている。本実施形態においては、挟持部４５ｂは、板状部４５ａの４辺のうち、被係合部４５ｃが設けられた１辺を除く３辺に設けられている。挟持部４５ｂは、例えば、板状部４５ａの外周縁に沿って設けられた壁状に形成されている。
【００６０】
被係合部４５ｃは、後述するように、蓋体１７を筐体本体３ａに係合させるためのものである。被係合部４５ｃは、例えば、板状部４５ａの連結部６側の縁部から連結部６側へ突出している。また、被係合部４５ｃは、板状部４５ａの内側面よりも筐体内部側に位置している。
【００６１】
次に、蓋体１７の筐体本体３ａへの装着方法について説明する。
図７は、図５の紙面左側部分の拡大図である。
【００６２】
インナーケース１３の蓋体１７側の面（壁部１３ｗの蓋体１７側の頂部）には、開口部１３ｃ（凹部３ｂ）を囲む溝部１３ｆが形成されている。溝部１３ｆは、外装筐体１０の開口部１５ｃから露出している。蓋体１７は、パッキン部４９が溝部１３ｆに圧入されることにより、インナーケース１３に取り付けられるとともに、インナーケース１３を密閉する。
【００６３】
アウター部４５の挟持部４５ｂは、インナー部４１のパッキン部４９よりも外周側において筐体内部側に突出している。そして、挟持部４５ｂは、インナーケース１３の外周面に当接し、蓋体１７の内側面に沿う方向においてインナーケース１３を挟持する。これにより、蓋体１７は、側方（図７の紙面左右方向）への移動が規制される。挟持部４５ｂは、開口部１５ｃに挿入され、外装筐体１０に覆われる。すなわち、挟持部４５ｂは、視認不可能となる。
【００６４】
インナーケース１３の蓋体１７側の面（壁部１３ｗの蓋体１７側の頂部）は、溝部１３ｆの外周側部分が、溝部１３ｆの内周側部分よりも高くなっており、その差は、両面テープ４３及び板状部４７ａの厚さよりも大きい。また、溝部１３ｆの深さは、パッキン部４９の板状部４７ａからの高さよりも大きい。従って、蓋体１７のバッテリ２７側への移動は、インナーケース１３がアウター部４５に当接することにより規制される。その一方で、板状部４７ａは、インナーケース１３に当接せず、また、パッキン部４９は、溝部１７ｆの底面に当接しない。
【００６５】
蓋体１７の被係合部４５ｃは、開口部１５ｃの連結部６側における、外装筐体１０の、開口部１５ｃを構成する縁部１５ｄ（図３参照）に対して、筐体内部側から筐体外側へ係合する。これにより、蓋体１７のバッテリ２７とは反対側への移動が規制される。なお、被係合部４５ｃは、インナーケース１３に係合されるように構成されてもよい。
【００６６】
アウター部４５の板状部４５ａは、外装筐体１０の開口部１５ｃ内に概ね嵌合される。これにより、蓋体１７の外装筐体１０に対する蓋体１７の内側面に沿う方向への移動が規制される。また、蓋体１７の外側面と、外装筐体１０の外側面とは面一になり、意匠性が向上する。
【００６７】
なお、この他、蓋体１７を筐体本体３ａに取り付けるための構成として、蓋体１７の連結部６とは反対側の部分の、バッテリ２７とは反対側への移動を規制する適宜なロック機構が設けられてもよい。
【００６８】
蓋体１７を第１筐体３に取り付けるときの手順としては、まず、蓋体１７の連結部６側を開口部１５ｃに近づける。そして、被係合部４５ｃを縁部１５ｄに係合させる。その後、蓋体１７の連結部６とは反対側を開口部１５ｃに近づけ、パッキン部４９を溝部１３ｆに圧入するとともに、挟持部４５ｂにインナーケース１３を挟持させる。
【００６９】
蓋体１７が第１筐体３に取り付けられると、図５に示すように、インナー部４１の第２孔部４７ｃ及び両面テープ４３の第１孔部４３ｃは、バッテリ２７の概ね中央に対向する。第２孔部４７ｃ及び第１孔部４３ｃの幅（径）は、バッテリ２７の幅の例えば半分以上である。
【００７０】
以上の実施形態によれば、携帯電話機１は、開口部１３ｃ（開口部３ｃ）が形成されたインナーケース１３（筐体本体３ａ）と、インナーケース１３に着脱され、インナーケース１３に装着されたときに開口部１３ｃを閉塞する蓋体１７とを有する。インナーケース１３には、開口部１３ｃを囲む溝部１３ｆが形成されている。蓋体１７は、溝部１３ｆに圧入可能なパッキン部４９と、パッキン部４９に一部が埋設され、パッキン部４９が溝部１３ｆに圧入されたときに開口部１３ｃに対向する基部４７とを有するインナー部４１を有する。さらに、蓋体１７は、インナー部４１の外側面に貼り付けられる第１両面テープ４３Ａと、第１両面テープ４３Ａの外側面に貼り付けられるアウター部４５とを有する。そして、第１両面テープ４３Ａは、第１孔部４３ｃが形成されて枠状に形成されている。
【００７１】
従って、両面テープ４３による接着面積は、第１孔部４３ｃが形成された分だけ縮小される。その結果、インナー部４１とアウター部４５とを分離して、一方を再利用することが容易化される。また、接着面積の縮小は、第１孔部４３ｃを形成することにより行われることから、インナー部４１とアウター部４５との密着力は、蓋体１７の全面に亘って均等に配分されやすい。その結果、インナー部４１とアウター部４５との予定外の分離については、効果的に抑制される。
【００７２】
基部４７は、第１孔部４３ｃに連通する第２孔部４７ｃが形成されて枠状に形成されている。従って、第１孔部４３ｃが形成されることにより、インナー部４１とアウター部４５との間に密閉空間が形成されることが避けられる。その結果、密閉空間の空気の膨張等による蓋体１７の変形が防止される。なお、基部４７に第２孔部４７ｃが形成されても、枠状に形成された第１両面テープ４３Ａが第２孔部４７ｃを囲んで、且つ、基部４７とアウター部４５とに密着しているから、インナーケース１３内の密閉性は維持される。すなわち、第１両面テープ４３Ａの面積縮小が、第１孔部４３ｃの形成によりなされているから、インナーケース１３内の密閉性が維持される。
【００７３】
また、携帯電話機１のように、防水性を追求した電子機器においては、加圧カプセル内に電子機器を配置し、電子機器の周囲の気圧を変化させつつ、電子機器の歪みを測定し、歪の有無により、密閉性を検査することが行われることがある。この場合において、インナー部４１とアウター部４５との間に密閉空間が存在すると、インナーケース１３内の密閉空間の密閉性に無関係に、蓋体１７において歪の有無が判定されてしまうおそれがある。しかし、本実施形態によれば、そのような不都合は生じない。
【００７４】
開口部１３ｃ（開口部３ｃ）は、インナーケース１３（筐体本体３ａ）に着脱されるバッテリ２７を収容する凹部３ｂの開口部である。第１孔部４３ｃ及び第２孔部４７ｃは、蓋体１７がインナーケース１３に装着されたときに、インナーケース１３に装着されたバッテリ２７に対向する。
【００７５】
一方、バッテリ２７は、充放電を繰り返すと、概ね中央が膨張する変形を生じることがある。具体的には、バッテリ２７の外側面２７ａの中央が、当該面の向く方向に膨らみ、内側面２７ｂの中央が、当該面の向く方向に膨らむ。従って、バッテリ２７の変形部分を収容する空間が、第１孔部４３ｃ及び第２孔部４７ｃにより確保されることになる。その結果、バッテリ２７の膨張変形により、蓋体１７が膨らみ、携帯電話機１の外観が損なわれることが抑制される。換言すれば、バッテリ２７の膨張を考慮して、蓋体１７とバッテリ２７との間にクリアランスを設ける場合において、当該クリアランスを小さくして、携帯電話機１の小型化又はバッテリ２７の大型化を図ることができる。
【００７６】
アウター部４５は、インナー部４１よりも外周側において蓋体１７の内側面の向く方向へ突出し、蓋体１７の内側面に沿う方向においてインナーケース１３を挟み込む挟持部４５ｂを有する。インナー部４１は、パッキン部４９によりインナーケース１３に対して固定されているから、インナー部４１及びアウター部４５は、インナーケース１３を介して互いに固定されていることになる。その結果、インナー部４１及びアウター部４５の固定に関する両面テープ４３の負担が軽減され、第１孔部４３ｃを大きくすることができる。
【００７７】
携帯電話機１は、インナーケース１３を内包する外装筐体１０を更に有する。外装筐体１０には、開口部１３ｃ及び溝部１３ｆを露出させる開口部１５ｃが形成されている。蓋体１７がインナーケース１３に装着されたときに、アウター部４５は開口部１５ｃ内に配置され、挟持部４５ｂは外装筐体１０に覆われる。従って、上述のような効果を奏する挟持部４５ｂを設けたとしても、これによる携帯電話機１の外観低下が抑制される。
【００７８】
なお、以上の実施形態において、携帯電話機１は本発明の電子機器の一例であり、インナーケース１３は本発明の筐体部材の一例であり、開口部１３ｃは本発明の第１開口部の一例であり、開口部１５ｃは本発明の第２開口部の一例である。なお、筐体本体３ａを本発明の筐体部材の一例、開口部３ｃ（又は開口部１５ｃ）を本発明の第１開口部の一例として捉えることもできる。
【００７９】
本発明は、以上の実施形態に限定されず、種々の態様で実施されてよい。
【００８０】
携帯電子機器は、携帯電話機に限定されない。例えば、携帯電子機器は、ノートパソコン、ＰＤＡ、ゲーム機、カメラであってもよい。また、携帯電子機器の筐体は、折り畳み式のものに限定されない。筐体は、一体的に構成されたもの（１つのみの筐体）であってもよいし、２以上の筐体が折り畳み式以外の方式（スライド式等）により相対移動可能に連結されたものであってもよい。
【００８１】
蓋体により開閉される開口部は、バッテリを着脱するためのものに限定されない。例えば、開口部は、コネクタを筐体外部に露出させるためのものであってもよい。基部に形成される第２孔部は、本発明の必須要件ではなく、第２孔部は設けられなくてもよい。
【００８２】
挟持部は、壁状のものに限定されず、爪状のものであってもよい。ただし、壁状であるほうか、携帯電子機器の防水性が向上する。
【符号の説明】
【００８３】
１…携帯電話機（携帯電子機器）、１３…インナーケース（筐体部材）、１３ｃ…開口部（第１開口部）、１３ｆ…溝部、１７…蓋体、４１…インナー部、４３…両面テープ、４３ｃ…第１孔部、４５…アウター部、４７…基部、４９…パッキン部。
【図１】
2010258808.tif 000003
【図２】
2010258808.tif 000004
【図３】
2010258808.tif 000005
【図４】
2010258808.tif 000006
【図５】
2010258808.tif 000007
【図６】
2010258808.tif 000008
【図７】
2010258808.tif 000009